(57)【要約】【課題】  分解能を低下させずに感度を向上させたタッチパネルを提供すること。【解決手段】  タッチパネル１０の電極層１４は、導電性メッシュ３０からなり、第１電極２１、第２電極２３及びダミー電極２５を備える。第１電極２１は第１対向部２１３を有し、第１対向部２１３は第１領域４１に形成されている。第２電極２３は第２対向部２３３を有し、第２対向部２３３は第２領域４３に形成されている。第１対向部２１３と第２対向部２３３とは、所定方向において互いに離れて対向している。ダミー電極２５は、少なくとも部分的に第１対向部２１３と第２対向部２３３との間に位置する介在部２５１を有する。介在部２５１はダミー領域４５に形成され、ダミー領域４５は所定方向における両端領域として第１端部領域４５１と第２端部領域４５３を有している。第１領域４１と第１端部領域４５１とは重複し、第２領域４３と第２端部領域４５３とは重複している。【選択図】図３
2020194215.tif 000002
【特許請求の範囲】
【請求項１】
基材と、前記基材上に形成された電極層とを備えるタッチパネルであって、
前記電極層は、導電性メッシュからなり、かつ第１電極、第２電極及びダミー電極を備えており、
前記第１電極は、第１対向部を有しており、
前記第１対向部は、第１領域に形成されており、
前記第２電極は、第２対向部を有しており、
前記第２対向部は、第２領域に形成されており、
前記第１対向部と前記第２対向部とは所定方向において互いに離れて対向しており、
前記ダミー電極は、少なくとも部分的に前記第１対向部と前記第２対向部との間に位置する介在部を有しており、
前記介在部は、ダミー領域に形成されており、
前記ダミー領域は、前記所定方向における両端領域として第１端部領域と第２端部領域を有しており、
前記第１領域と前記第１端部領域とは重複しており、
前記第２領域と前記第２端部領域とは重複している
タッチパネル。
【請求項２】
請求項１に記載のタッチパネルであって、
前記第１領域は、前記第１対向部を構成する前記導電性メッシュの最外端を仮想的に結んで形成され、
前記第２領域は、前記第２対向部を構成する前記導電性メッシュの最外端を仮想的に結んで形成され、
前記ダミー領域は、前記介在部を構成する前記導電性メッシュの最外端を仮想的に結んで形成される
タッチパネル。
【請求項３】
請求項２に記載のタッチパネルであって、
前記導電性メッシュは、前記所定方向と直交する直交方向において特定要素が繰り返し配置されたパターンを有しており、
前記特定要素は、前記直交方向における最大サイズとして所定サイズを有しており、
前記第１領域は、前記直交方向において、少なくとも前記所定サイズ毎に、前記第１対向部を構成する前記導電性メッシュの前記最外端を仮想的に結んで形成され、
前記第１領域は、前記所定方向における端辺として、前記直交方向に沿って直線状に延びる辺を有しており、
前記第２領域は、前記直交方向において、少なくとも前記所定サイズ毎に、前記第２対向部を構成する前記導電性メッシュの前記最外端を仮想的に結んで形成され、
前記第２領域は、前記所定方向における端辺として、前記直交方向に沿って直線状に延びる辺を有している
タッチパネル。
【請求項４】
請求項３に記載のタッチパネルであって、
前記特定要素は、菱形を有しており、
前記介在部は、前記第１端部領域において、互いに平行に並ぶ複数の第１特定線を有しており、
前記第１特定線の夫々は、前記特定要素の前記菱形の一辺に相当するものであり、
前記第１対向部は、前記所定方向の端部として、互いに平行に並ぶ複数の第１端線を有しており、
前記第１端線の夫々は、前記特定要素の前記菱形の一辺に相当するものであり、
前記第１特定線と前記第１端線とは、前記直交方向において交互に並んでおり、
前記介在部は、前記第２端部領域において、互いに平行に並ぶ複数の第２特定線を有しており、
前記第２特定線の夫々は、前記特定要素の前記菱形の一辺に相当するものであり、
前記第２対向部は、前記所定方向の端部として、互いに平行に並ぶ複数の第２端線を有しており、
前記第２端線の夫々は、前記特定要素の前記菱形の一辺に相当するものであり、
前記第２特定線と前記第２端線とは、前記直交方向において交互に並んでいる
タッチパネル。
【請求項５】
請求項４に記載のタッチパネルであって、
前記第１電極は、前記所定方向に沿って延びる第１主部と、前記直交方向に沿って前記第１主部から延びる複数の前記第１対向部とを有しており、
前記第２電極は、前記所定方向に沿って延びる第２主部と、前記直交方向に沿って前記第２主部から延びる複数の前記第２対向部とを有しており、
前記第１対向部と前記第２対向部とは、前記所定方向において交互に並んでいる
タッチパネル。
【発明の詳細な説明】
【技術分野】
【０００１】
本発明は、タッチパネルに関し、特に、相互容量方式タッチパネルに関する。
【背景技術】
【０００２】
特許文献１は、相互容量方式タッチパネル（以下、タッチパネル）の一例を開示している。特許文献１のタッチパネルは、複数のセンサ部を有し、センサ部の夫々は基材の一面に形成された電極層を備えている。図１２に示されるように、特許文献１に開示される電極層は、第１電極９１と、第２電極９３と、ダミー電極９５とを有している。第１電極９１及び第２電極９３は、夫々、櫛歯状に形成されている。第１電極９１の櫛歯（第１線状部分）９１１と第２電極の櫛歯（第２線状部分）９３１とは、所定方向と直交する直交方向に延びている。また、第１線状部分９１１と第２線状部分９３１とは、所定方向において交互に配置されている。ダミー電極９５は、第１電極９１と第２電極９３との間に配置されている。
【０００３】
図１２から理解されるように、第１電極９１と第２電極９３とはキャパシタを構成する。このキャパシタの表面に指などの導電体が接近すると、キャパシタの静電容量が変化する。このキャパシタの静電容量の変化を検出することにより、特許文献１のタッチパネルは、センサ部への導電体の接近を検出することができる。
【先行技術文献】
【特許文献】
【０００４】
【特許文献１】特開２０１８−１１２８４２号公報
【発明の概要】
【発明が解決しようとする課題】
【０００５】
特許文献１には、所定方向において、第１電極９１の第１線状部分９１１と第２電極９３の第２線状部分９３１の間隔を広げることにより、センサ部の感度が向上することが開示されている。しかしながら、タッチパネル又はセンサ部において、第１線状部分９１１と第２線状部分９３１の間隔を広げることは、タッチパネル又はセンサ部のサイズ拡大を招く。その結果、タッチパネル又はセンサ部の分解能は低下する。したがって、分解能を低下させることなく、タッチパネル又はセンサ部の感度を向上させることができるタッチパネルが望まれている。
【０００６】
そこで、本発明は、分解能を低下させることなく感度を向上させることができるタッチパネルを提供することを目的とする。
【課題を解決するための手段】
【０００７】
本発明は、第１のタッチパネルとして、基材と、前記基材上に形成された電極層とを備えるタッチパネルであって、
前記電極層は、導電性メッシュからなり、かつ第１電極、第２電極及びダミー電極を備えており、
前記第１電極は、第１対向部を有しており、
前記第１対向部は、第１領域に形成されており、
前記第２電極は、第２対向部を有しており、
前記第２対向部は、第２領域に形成されており、
前記第１対向部と前記第２対向部とは所定方向において互いに離れて対向しており、
前記ダミー電極は、少なくとも部分的に前記第１対向部と前記第２対向部との間に位置する介在部を有しており、
前記介在部は、ダミー領域に形成されており、
前記ダミー領域は、前記所定方向における両端領域として第１端部領域と第２端部領域を有しており、
前記第１領域と前記第１端部領域とは重複しており、
前記第２領域と前記第２端部領域とは重複している
タッチパネルを提供する。
【０００８】
また、本発明は、第２のタッチパネルとして、第１のタッチパネルであって、
前記第１領域は、前記第１対向部を構成する前記導電性メッシュの最外端を仮想的に結んで形成され、
前記第２領域は、前記第２対向部を構成する前記導電性メッシュの最外端を仮想的に結んで形成され、
前記ダミー領域は、前記介在部を構成する前記導電性メッシュの最外端を仮想的に結んで形成される
タッチパネルを提供する。
【０００９】
また、本発明は、第３のタッチパネルとして、第２のタッチパネルであって、
前記導電性メッシュは、前記所定方向と直交する直交方向において特定要素が繰り返し配置されたパターンを有しており、
前記特定要素は、前記直交方向における最大サイズとして所定サイズを有しており、
前記第１領域は、前記直交方向において、少なくとも前記所定サイズ毎に、前記第１対向部を構成する前記導電性メッシュの前記最外端を仮想的に結んで形成され、
前記第１領域は、前記所定方向における端辺として、前記直交方向に沿って直線状に延びる辺を有しており、
前記第２領域は、前記直交方向において、少なくとも前記所定サイズ毎に、前記第２対向部を構成する前記導電性メッシュの前記最外端を仮想的に結んで形成され、
前記第２領域は、前記所定方向における端辺として、前記直交方向に沿って直線状に延びる辺を有している
タッチパネルを提供する。
【００１０】
また、本発明は、第４のタッチパネルとして、第３のタッチパネルであって、
前記特定要素は、菱形を有しており、
前記介在部は、前記第１端部領域において、互いに平行に並ぶ複数の第１特定線を有しており、
前記第１特定線の夫々は、前記特定要素の前記菱形の一辺に相当するものであり、
前記第１対向部は、前記所定方向の端部として、互いに平行に並ぶ複数の第１端線を有しており、
前記第１端線の夫々は、前記特定要素の前記菱形の一辺に相当するものであり、
前記第１特定線と前記第１端線とは、前記直交方向において交互に並んでおり、
前記介在部は、前記第２端部領域において、互いに平行に並ぶ複数の第２特定線を有しており、
前記第２特定線の夫々は、前記特定要素の前記菱形の一辺に相当するものであり、
前記第２対向部は、前記所定方向の端部として、互いに平行に並ぶ複数の第２端線を有しており、
前記第２端線の夫々は、前記特定要素の前記菱形の一辺に相当するものであり、
前記第２特定線と前記第２端線とは、前記直交方向において交互に並んでいる
タッチパネルを提供する。
【００１１】
さらに、本発明は、第５のタッチパネルとして、第４のタッチパネルであって、
前記第１電極は、前記所定方向に沿って延びる第１主部と、前記直交方向に沿って前記第１主部から延びる複数の前記第１対向部とを有しており、
前記第２電極は、前記所定方向に沿って延びる第２主部と、前記直交方向に沿って前記第２主部から延びる複数の前記第２対向部とを有しており、
前記第１対向部と前記第２対向部とは、前記所定方向において交互に並んでいる
タッチパネルを提供する。
【発明の効果】
【００１２】
本発明のタッチパネルの分解能は、第１領域と第２領域の間隔に依存する。一方、本発明のタッチパネルの感度は、所定方向における介在部の幅に依存する。介在部の幅は、第１端部領域及び第２端部領域が第１領域及び第２領域と夫々重複していることから明らかなように、第１領域と第２領域の間隔よりも広い。そのため、本発明のタッチパネルは、介在部の第１端部領域及び第２端部領域が第１領域及び第２領域と夫々重複していないタッチパネルに比べ、高い検出感度を実現できる。これにより、本発明のタッチパネルは、分解能を低下させることなく、検出感度を向上させることができる。
【図面の簡単な説明】
【００１３】
【図１】本発明の第１の実施の形態による相互容量方式タッチパネル（タッチパネル）の概略構成を示す断面図である。
【図２】図１のタッチパネルを示す平面図である。第１電極、第２電極、ダミー電極及び配線は簡略化されて描かれている。保護層は省略されている。
【図３】図２のタッチパネルの破線で囲まれた範囲Ｒを示す拡大図であり、（ａ）は、説明に必要な符号を付した図、（ｂ）は（ａ）から一部の符号を除去した図である。
【図４】図３に示される導電性メッシュの第１変形例を示す図であり、（ａ）は、説明に必要な符号を付した図、（ｂ）は（ａ）から一部の符号を除去した図である。
【図５】図３に示される導電性メッシュの第２変形例を示す図であり、（ａ）は、説明に必要な符号を付した図、（ｂ）は（ａ）から一部の符号を除去した図である。
【図６】図３に示される導電性メッシュの第３変形例を示す図であり、（ａ）は、説明に必要な符号を付した図、（ｂ）は（ａ）から一部の符号を除去した図である。
【図７】図３に示される導電性メッシュの第４変形例を示す図であり、（ａ）は、説明に必要な符号を付した図、（ｂ）は（ａ）から一部の符号を除去した図である。
【図８】図３に示される導電性メッシュの第５変形例を示す図であり、（ａ）は、説明に必要な符号を付した図、（ｂ）は（ａ）から一部の符号を除去した図である。
【図９】図３に示される導電性メッシュの第６変形例を示す図であり、（ａ）は、説明に必要な符号を付した図、（ｂ）は（ａ）から一部の符号を除去した図である。
【図１０】図２のタッチパネルに含まれる第１電極、第２電極及びダミー電極の変形例を示す図である。第１電極、第２電極及びダミー電極は簡略化されている。第２電極は、図２の第２電極の一つに対応する。
【図１１】図２のタッチパネルに含まれる第１電極、第２電極及びダミー電極の他の変形例を示す図である。第１電極、第２電極及びダミー電極は簡略化されている。第２電極は、図２の第２電極の一つに対応する。
【図１２】特許文献１に記載された相互容量方式タッチパネルに含まれるセンサ部の電極層を示す平面図である。
【発明を実施するための形態】
【００１４】
図１を参照すると、本発明の第１の実施の形態による相互容量方式タッチパネル（タッチパネル）１０は、基材１２と、基材１２の一面上に形成された電極層１４と、電極層１４を覆うように基材１２の一面上に設けられた保護層１６とを備えている。
【００１５】
図１のタッチパネル１０において、基材１２は、ガラスや樹脂からなり光透過性を有する板状又はフィルム状の部材であってよい。電極層１４は、基材１２の一面上に形成された導電性メッシュ３０（図３参照）からなる。導電性メッシュ３０は、基材１２の一面上に導電性インクを用いて印刷形成されてもよいし、基材１２の一面上に真空蒸着等で形成された導電性膜をエッチングして形成されてもよい。保護層１６は、インク状の樹脂を用いたスピンコーティングや印刷により形成されてよい。あるいは、ガラスや樹脂からなるカバー部材を接着剤で貼り付けることにより形成されてもよい。
【００１６】
図２を参照すると、電極層１４は、複数の第１電極２１と、複数の第２電極２３と、複数のダミー電極２５と、複数の配線２７とを備えている。後述するように、本実施の形態の電極層１４において、第１電極２１及び第２電極２３の夫々が形成される領域（第１領域４１及び第２領域４３：図３参照）は、ダミー電極２５が形成される領域（ダミー領域４５：図３参照）と部分的に重複している。しかしながら、図２においては、第１電極２１、第２電極２３及びダミー電極２５の概略的配置を示すため、第１電極２１及び第２電極２３の夫々とダミー電極２５との間にスペースが存在するように描かれている。
【００１７】
図２に示されるように、本実施の形態において、第１電極２１の数は５個であり、第２電極２３の数は２０個である。また、本実施の形態において、第１電極２１の夫々は、４個の第２電極２３と組み合わされている。配線２７は、第１電極２１及び第２電極２３に夫々接続されている。但し、本発明はこれに限定されない。第１電極２１の数及び第２電極２３の数は任意に設定可能である。また、互いに組み合わされる第１電極２１と第２電極２３の比も任意に設定可能である。例えば、第１電極２１と第２電極２３とは、一対一に組み合わされてもよい。
【００１８】
図２に示されるように、第１電極２１及び第２電極２３の夫々は、櫛歯状に形成されている。詳しくは、第１電極２１の夫々は、所定方向に沿って延びる第１主部２１１と、第１主部２１１から所定方向と直交する直交方向に沿って延びる複数の第１対向部２１３とを有している。また、第２電極２３の夫々は、所定方向に沿って延びる第２主部２３１と、第２主部２３１から直交方向に沿って延びる複数の第２対向部２３３とを有している。本実施の形態において、所定方向はＹ方向であり、直交方向はＸ方向である。第１対向部２１３は、第１主部２１１から＋Ｘ方向へ延びており、第２対向部２３３は、第２主部２３１から−Ｘ方向へ延びている。
【００１９】
図２に示されるように、第１電極２１と第２電極２３との組み合わせの夫々において、第１対向部２１３と第２対向部２３３とは、所定方向において交互に並んでいる。これにより、所定方向において互いに隣り合う第１対向部２１３と第２対向部２３３とは、互いに離れて対向する。この構成により、第１電極２１と第２電極２３の夫々とはキャパシタを構成する。
【００２０】
図３を参照すると、電極層１４は、導電性メッシュ３０により構成されている。導電性メッシュ３０は、特定要素３１を二次元に繰り返し配置したパターンを有している。本実施の形態において、特定要素３１は、菱形を有している。特定要素３１は、その二つの対角線が所定方向及び直交方向と夫々平行になるように配置されている。但し、本発明はこれに限られない。特定要素３１は、菱形以外の形状を有していてもよい。
【００２１】
図３に示されるように、導電性メッシュ３０は、第１電極２１とダミー電極２５との間、及びダミー電極２５と第２電極２３との間の夫々において不連続である。換言すると、導電性メッシュ３０は、第１電極２１とダミー電極２５との間、及びダミー電極２５と第２電極２３との間の夫々において分割されている。導電性メッシュ３０の分割は、第１電極２１とダミー電極２５との間及びダミー電極２５と第２電極２３との間の夫々において、仮想的な直線を引くことができないようになされている。
【００２２】
図３から理解されるように、所定方向において互いに隣り合う第１電極２１の第１対向部２１３と第２電極２３の第２対向部２３３とは、所定方向において互いに離れて対向している。第１対向部２１３と第２対向部２３３との間には、ダミー電極２５の介在部２５１が介在している。換言すると、ダミー電極２５は、少なくとも部分的に第１対向部２１３と第２対向部２３３との間に位置する介在部２５１を有している。
【００２３】
図３に示されるように、第１電極２１の第１対向部２１３は第１領域４１に形成されている。第１領域４１は、第１対向部２１３を構成する導電性メッシュ３０の最外端３２１を仮想的に連結して規定される領域である。また、第２電極２３の第２対向部２３３は第２領域４３に形成されている。第２領域４３は、第２対向部２３３を構成する導電性メッシュ３０の最外端３２３を仮想的に連結して規定される領域である。
【００２４】
図３を参照して、第１領域４１及び第２領域４３について説明する。本実施の形態において、導電性メッシュ３０は、直交方向において特定要素３１が繰り返し配置されたパターンを有している。そして、特定要素３１は、直交方向における最大サイズとして所定サイズを有している。この所定サイズは、特定要素３１の直交方向の対角線の長さに等しい。本実施の形態において、第１領域４１は、直交方向において、所定サイズ毎に、第１対向部２１３を構成する導電性メッシュ３０の最外端３２１を仮想的に結んで形成される。最外端３２１を結ぶ線は、直交方向に沿った直線状の辺を形成する。換言すると、第１領域４１は、所定方向における端辺として、直交方向に沿って直線状に延びる辺を有している。また、第２領域４３は、直交方向において、所定サイズ毎に、第２対向部２３３を構成する導電性メッシュ３０の最外端３２３を仮想的に結んで形成される。最外端３２３を結ぶ線は、直交方向に沿った直線状の辺を形成する。換言すると、第２領域４３は、所定方向における端辺として、直交方向に沿って直線状に延びる辺を有している。
【００２５】
図３から理解されるように、ダミー電極２５の介在部２５１は、ダミー領域４５に形成されている。ダミー領域４５は、介在部２５１を構成する導電性メッシュ３０の最外端３２５，３２７を仮想的に連結して規定される領域である。ダミー領域４５は、所定方向における両端領域として、第１端部領域４５１と第２端部領域４５３とを有している。本実施の形態において、第１端部領域４５１は第１領域４１と重複している領域であり、第２端部領域４５３は第２領域４３と重複している領域である。
【００２６】
図３に示されるように、本実施の形態において、介在部２５１は、第１端部領域４５１において、互いに平行に並ぶ複数の第１特定線３３１を有している。第１特定線３３１の夫々は、特定要素３１の菱形の一辺に相当する。厳密には、第１特定線３３１の夫々は、特定要素３１の菱形の一辺の一部に相当する。一方、第１対向部２１３は、所定方向の端部として、互いに平行に並ぶ複数の第１端線３４１を有している。第１端線３４１の夫々は、特定要素３１の菱形の一辺に相当する。厳密には、第１特定線３３１の夫々は、特定要素３１の菱形の一辺の一部に相当する。そして、第１特定線３３１と第１端線３４１とは、直交方向において交互に並んでいる。
【００２７】
図３に示されるように、介在部２５１はまた、第２端部領域４５３において、互いに平行に並ぶ複数の第２特定線３３３を有している。第２特定線３３３の夫々は、特定要素３１の菱形の一辺に相当する。厳密には、第２特定線３３３の夫々は、特定要素３１の菱形の一辺の一部に相当する。一方、第２対向部２３３は、所定方向の端部として、互いに平行に並ぶ複数の第２端線３４３を有している。第２端線３４３の夫々は、特定要素３１の菱形の一辺に相当する。厳密には、第２特定線３３３の夫々は、特定要素３１の菱形の一辺の一部に相当する。そして、第２特定線３３３と第２端線３４３とは、直交方向において交互に並んでいる。
【００２８】
図３から理解されるように、ダミー電極２５の介在部２５１は、所定方向において、第１領域４１及び第２領域４３の夫々に部分的に入り込んでいる。この構成において、タッチパネル１０の分解能は、主に所定方向における第１電極２１と第２電極２３との間の最短距離、又は第１領域４１と第２領域４３との距離に依存する。一方、タッチパネル１０の感度は、主に所定方向におけるダミー電極２５の介在部２５１の最大幅、又はダミー領域４５の所定方向における幅に依存する。本実施の形態において、所定方向におけるダミー領域４５の幅寸法は、所定方向における第１電極２１と第２電極２３との間の最短距離寸法よりも大きい。それゆえ、本実施の形態のタッチパネル１０は、所定方向における第１電極２１と第２電極２３との間隔を広げることなく、その間隔を広げた場合と同様の高い感度を実現することができる。換言すると、本実施の形態によるタッチパネル１０は、分解能を低下させることなく、感度を向上させることができる。
【００２９】
（変形例）
上記実施の形態において、導電性メッシュ３０（図３参照）は、第１電極２１、第２電極２３及びダミー電極２５を構成するように分割されている。本発明において導電性メッシュ３０の分割方法は、上記実施の形態に限定されず、種々の方法を採用可能である。
【００３０】
例えば、上記実施の形態において、第１対向部２１３を構成する導電性メッシュ３０の最外端３２１は、図３に示されるように、所定サイズに等しい間隔で、直交方向に並んでいる。しかしながら、本発明はこれに限られず、第１対向部２１３を構成する導電性メッシュ３０の最外端３２１は、少なくとも部分的に、所定サイズよりも広い間隔で直交方向に並んでいてもよい。例えば、図４に示されるように、第１対向部２１３を構成する導電性メッシュ３０の最外端３２１は、一か所だけ所定サイズよりも広い間隔となるように直交方向に並んでいてもよい（第１変形例）。あるいは、図５に示されるように、第１対向部２１３を構成する導電性メッシュ３０の最外端３２１は、所定サイズの２倍に等しい間隔で直交方向に並んでいてもよい（第２変形例）。
【００３１】
図４に示される第１変形例において、第２対向部２３３を構成する導電性メッシュ３０の最外端３２３は、一か所だけ所定サイズよりも広い間隔となるように直交方向に並んでいる。また、図５に示される第２変形例において、第２対向部２３３を構成する導電性メッシュ３０の最外端３２３は、所定サイズの２倍に等しい間隔で直交方向に並んでいる。
【００３２】
また、上記実施の形態において、第１端部領域４５１及び第２端部領域４５３の夫々の所定方向におけるサイズは、図３から理解されるように、特定要素３１の所定方向の対角線の長さサイズの略半分に等しい。しかしながら、本発明はこれに限られない。図６に示されるように、第１端部領域４５１及び第２端部領域４５３の夫々の所定方向におけるサイズは、特定要素３１の所定方向の対角線の長さサイズの半分よりも小さくてもよい（第３変形例）。また、図７に示されるように、第１端部領域４５１及び第２端部領域４５３の夫々の所定方向におけるサイズは、特定要素３１の所定方向の対角線の長さサイズの半分よりも大きくてもよい（第４変形例）。
【００３３】
さらに、上記実施の形態において、介在部２５１を構成する導電性メッシュ３０の最外端３２５，３２７の夫々は、図３から理解されるように、特定要素３１の菱形の一辺の端に相当する。しかしながら、本発明はこれに限られない。図８に示されるように、介在部２５１を構成する導電性メッシュ３０の最外端３２５，３２７の夫々は、特定要素３１の菱形の頂点に相当してもよい（第５変形例）。
【００３４】
さらにまた、第１の実施の形態において、介在部２５１を構成する導電性メッシュ３０の最外端３２５，３２７は、図３から理解されるように、互いに異なる特定要素３１の菱形の一辺の端に相当する。しかしながら、本発明はこれに限られない。図９に示されるように、介在部２５１を構成する導電性メッシュ３０の最外端３２５，３２７のうち互いに隣り合う二つの最外端３２５又は３２７は、同一の特定要素３１の菱形の二つの辺の端に相当してもよい（第６変形例）。
【００３５】
図４から図９までに示される第１変形例から第６変形例までのいずれにおいても、第１領域４１は、直交方向において、少なくとも所定サイズ毎に、第１対向部２１３を構成する導電性メッシュ３０の最外端３２１を仮想的に結んで形成されるものである。同様に、第２領域４３は、直交方向において、少なくとも所定サイズ毎に、第２対向部２３３を構成する導電性メッシュ３０の最外端３２３を仮想的に結んで規定されるものである。
【００３６】
また、図４から図９までに示される第１変形例から第６変形例のいずれにおいても、ダミー電極２５の介在部２５１は、所定方向において、第１領域４１及び第２領域４３の夫々に部分的に入り込んでいる。したがって、これらの変形例においても、タッチパネル１０は、分解能を低下させることなく、感度を向上させることができる。
【００３７】
以上、本発明について、いくつかの実施の形態を掲げて具体的に説明してきたが、本発明はこれに限定されるものではなく、種々の変形が可能である。例えば、上記実施の形態では、図２に示されるように、第１電極２１及び第２電極２３がともに櫛歯状に形成されていたが、本発明はこれに限られない。一例において、図１０に示されるように、第２電極２３Ａは三角形に形成され、第１電極２１Ａはこれに対応する形状を有していてもよい。あるいは、図１１に示されるように、第２電極２３Ｂは糸巻き形に形成され、第１電極２１Ｂはこれに対応する形状を有していてもよい。
【００３８】
図１０に示される例において、Ｚ方向と直交しかつＸ方向及びＹ方向の双方と斜交する二つの方向が夫々所定方向となる。第１電極２１Ａと第２電極２３Ａとの間には、ダミー電極２５Ａが設けられている。図３に示される実施例又は図４から図９のいずれかに示される変形例と同様に、ダミー電極２５Ａの介在部２５１が形成されたダミー領域４５は、所定方向の夫々において、第１電極２１Ａ及び第２電極２３Ａが夫々形成された第１領域４１及び第２領域４３と少なくとも部分的に重複する。
【００３９】
また、図１１に示される例において、Ｘ方向、Ｙ方向、及びＺ方向と直交しかつＸ方向及びＹ方向の双方と斜交する二つの方向の、計４方向が夫々所定方向となる。図３に示される実施例又は図４から図９のいずれかに示される変形例と同様に、ダミー電極２５Ｂの介在部２５１が形成されたダミー領域４５は、所定方向の夫々において、第１電極２１Ｂ及び第２電極２３Ｂが夫々形成された第１領域４１と第２領域４３に少なくとも部分的に重複する。
【符号の説明】
【００４０】
１０    相互容量方式タッチパネル（タッチパネル）
１２    基材
１４    電極層
１６    保護層
２１，２１Ａ、２１Ｂ    第１電極
２３，２３Ａ，２３Ｂ    第２電極
２５，２５Ａ，２５Ｂ    ダミー電極
２５１    介在部
２７    配線
２１１    第１主部
２１３    第１対向部
２３１    第２主部
２３３    第２対向部
３０    導電性メッシュ
３１    特定要素
３２１，３２３，３２５，３２７    最外端
３３１    第１特定線
３３３    第２特定線
３４１    第１端線
３４３    第２端線
４１    第１領域
４３    第２領域
４５    ダミー領域
４５１    第１端部領域
４５３    第２端部領域
【図１】
2020194215.tif 000003
【図２】
2020194215.tif 000004
【図３】
2020194215.tif 000005
【図４】
2020194215.tif 000006
【図５】
2020194215.tif 000007
【図６】
2020194215.tif 000008
【図７】
2020194215.tif 000009
【図８】
2020194215.tif 000010
【図９】
2020194215.tif 000011
【図１０】
2020194215.tif 000012
【図１１】
2020194215.tif 000013
【図１２】
2020194215.tif 000014